(57)【特許請求の範囲】
【請求項１】
建物の壁面に取り付けて使用され、外部からの煙を流入させると共に外部からの直接光を遮断する複数の壁部を備えたハウジングと、
前記ハウジングの内部の下方に位置し、内部に光を照射する発光部と、
前記ハウジングの内部の上方に位置し、内部に流入した煙による前記光の散乱光を受光する受光部と、
前記受光部の鉛直下方に設けられ、上面に前記発光部の光軸側の縁部から下方に傾斜する傾斜面を備えると共に、前記発光部から前記受光部へ向かう直接光を遮断する遮光壁と、
前記受光部から遮蔽される状態に前記遮光壁の下部に設けられ、前記発光部から前記縁部へ向かう直接光を遮断する第２の遮光壁とを備えた光電式煙感知器。
【発明の詳細な説明】
【技術分野】
【０００１】
本発明は、建物の壁面に取り付けて使用され、外部からの煙を流入させると共に外部からの光の直接光を遮断する複数の壁部を備えたハウジングと、前記ハウジングの内部に光を照射する発光部と、前記煙感知室の内部に流入した煙による前記光の散乱光を受光する受光部と、前記発光部から前記受光部へ向かう直接光を遮断する遮光壁とを備えた光電式煙感知器に関する。
【背景技術】
【０００２】
従来、光電式煙感知器は、ハウジングによって形成される煙感知室に、当該煙感知室内に光を照射する発光部と光を受光する受光部とを設け、煙が煙感知室内に流入した場合に当該煙によって光が散乱することを利用し、この散乱光を検出することで煙を感知する。
【０００３】
このような光電式煙感知器では、外部からの煙はハウジング内に通すが外部からの光を遮断する複数のラビリンス壁等を設けて、受光部における煙による散乱光の検出精度を高めると共に、壁部の外側には防虫網を設けて煙感知室に虫等が入り込むことによる誤感知を防止している(例えば、特許文献１参照)。
【０００４】
【特許文献１】特開平９−２３１４８５号公報
【発明の開示】
【発明が解決しようとする課題】
【０００５】
しかし、前記従来の光電式煙感知器に用いられる防虫網には、煙感知性能に支障がないように煙の流入に影響がない程度の隙間が設けられている。このため、この隙間から小さな埃が煙感知室内に侵入する場合があり、一旦侵入した埃は防虫網によって煙感知室から出難くなっていた。煙感知室内に埃が侵入すると、発光部が照射した光を乱反射させる場合があり、乱反射した光の強度は煙による散乱光の強度と同程度であるため、誤感知を引き起こすという問題があった。
【０００６】
本発明は、上記課題に鑑みてなされたものであり、誤感知し難い光電式煙感知器を提供することを目的とする。
【課題を解決するための手段】
【０００７】
上記目的を達成するための本発明に係る光電式煙感知器の第１特徴構成は、建物の壁面に取り付けて使用され、外部からの煙を流入させると共に外部からの直接光を遮断する複数の壁部を備えたハウジングと、前記ハウジングの内部の下方に位置し、内部に光を照射する発光部と、前記ハウジングの内部の上方に位置し、内部に流入した煙による前記光の散乱光を受光する受光部と、前記受光部の鉛直下方に設けられ、上面に前記発光部の光軸側の縁部から下方に傾斜する傾斜面を備えると共に、前記発光部から前記受光部へ向かう直接光を遮断する遮光壁と、前記受光部から遮蔽される状態に前記遮光壁の下部に設けられ、前記発光部から前記縁部へ向かう直接光を遮断する第２の遮光壁とを備えた点にある。
【０００８】
ハウジングを建物の壁面に取り付けた状態では、埃は上方からハウジングの内部に侵入し易い。
このため、本構成のように、受光部をハウジングの内部の上方に位置するように設けることにより、受光部が埃除けの機能を発揮して、埃がハウジングの内部に侵入し難くすることができる。また、埃がハウジングの内部に侵入した場合でも、遮光壁を受光部の鉛直下方に位置するように設けてあるため、埃が遮光壁の上に堆積することを防止できる。
【０００９】
遮光壁には、その上面に発光部の光軸側の縁部から下方に傾斜する傾斜面を形成してある。このため、遮光壁の上面の埃は傾斜面に沿って下方に移動し、発光部からの光が当たり易い遮光壁の縁部に埃が堆積することを防止できる。
【００１０】
したがって、本構成によれば、発光部からの光が、ハウジングの内部に侵入した埃によって乱反射する機会を低減し、誤感知を防止することができる。
【００１１】
また、本構成によれば、発光部からの光が当たる第２の遮光壁は、受光部から遮蔽される状態に遮光壁の下部に設けてある。このため、遮光壁によって第２の遮光壁に埃が堆積することを防止できる。第２の遮光壁に埃が付着した場合でも、第２の遮光壁は受光部から遮蔽されているため、第２の遮光壁に付着した埃によって発光部からの光が乱反射してもこの光を受光部が受光することを防止できる。
【発明を実施するための最良の形態】
【００１２】
以下に、本発明に係る光電式煙感知器の一実施形態について図面を参照して説明する。ここでは、本発明を建物の壁面に取り付ける壁掛け式の火災警報器１における煙感知部２に適用した場合について説明する。
【００１３】
本実施形態に係る火災警報器１は、図２に示すように、正面に、煙を感知する煙感知部２と、音声やブザー等の警報音を発する警報スピーカ３と、ＬＥＤ等による光を点灯または点滅する警報ランプ４とを備える。火災警報器１は、煙感知部２が煙を感知した時に、例えば、煙の濃度が予め設定した閾値より高いか低いかを判断し、煙の濃度が閾値を超えている場合に火災と判定して、警報スピーカ３から警報音を発し、警報ランプ４を点灯させる。火災警報器１には、警報停止ボタン５が設けてある。これを操作することにより警報スピーカ３からの警報音を停止することができる。また、火災警報器１の背面には、火災警報器１を壁材等に固定する取り付け部（図示しない）や、火災警報器１を駆動させる電池を収納する電池収納部（図示しない）等が設けてある。
【００１４】
煙感知部２は、図１に示すように、内部に煙を感知する煙感知室２２を有するハウジング２１を備える。ハウジング２１には複数の鉤状の壁部２３が煙感知室２２の周りを取り囲むように設けてある。これにより、煙感知室２２に外部からの光を遮断しつつ外部から煙を流入させることができる。また、壁部２３の外側には、煙感知室２２に虫等が入り込むことによる誤感知を防止するために、金網等で構成される防虫網２４が設けてある。
【００１５】
ハウジング２１の内部には、煙感知室２２に近赤外線等の光を照射する発光部としての発光ダイオード等の発光素子２５と、煙感知室２２の光を受光する受光部としてのフォトダイオード等の受光素子２６とが、それぞれの光軸が煙感知室２２の内部で交差するように設けてある。発光素子２５と受光素子２６との間には、発光素子２５から受光素子２６へ向かう直接光を遮断する遮光壁２７が設けてある。これにより、受光素子２６は通常時には発光素子２５が発する光を受光することはなく、煙感知室２２に煙が流入した時にのみ煙による発光素子２５が発する光の散乱光を受光できるようになる。煙感知部２は、この散乱光を検出することで煙の存在を感知する。
【００１６】
受光素子２６は、煙感知室２２の上方に受光面を下方に向けて設けてあり、その鉛直下方の位置には遮光壁２７が設けてある。本実施形態のような壁掛け式の火災警報器１では埃は上方からハウジング２１の内部に侵入し易い。このため、受光素子２６を上方に設けることにより、埃が煙感知室２２の内部に侵入し難くすることができる。また、例え埃が煙感知室２２に侵入した場合でも、遮光壁２７は受光素子２６の鉛直下方の位置に設けてあるため、受光素子２６によって埃が遮光壁２７の上に堆積することを防止できる。また、受光素子２６の受光面を下方に向けることにより、埃が受光面に堆積することを防止している。発光素子２５は光が遮光壁２７の下面側に当たるように煙感知室２２の下方であって遮光壁２７の鉛直下方に位置するように設けてある。遮光壁２７の上面には、発光素子２５の光軸側の縁部２７ａから下方に傾斜する傾斜面２７ｂが形成してある。これにより、例え埃が遮光壁２７に堆積したとしても、縁部２７ａに埃が堆積し難くすると共に、遮光壁２７の上面の埃を傾斜面２７ｂの傾斜に沿って下方に移動できるようにして発光素子２５の側に落下すること防止している。
【００１７】
遮光壁２７の発光素子２５の側には、遮光壁２７の縁部２７ａへ向かう直接光を遮断する第２の遮光壁２８が設けてある。これにより、例えば、煙感知室２２に侵入した埃等が遮光壁２７の縁部２７ａに付着した時に、埃等によって発光素子２５からの光が乱反射することを防止する。
【００１８】
また、第２の遮光壁２８は、受光素子２６から遮蔽される状態に遮光壁２７の下方に設けてある。これにより、遮光壁２７によって、発光素子２５からの直接光が当たる第２の遮光壁２８に埃が堆積することを防止できる。また、例え、第２の遮光壁２８に埃が付着したとしても、第２の遮光壁２８は受光素子２６から遮蔽されているため、第２の遮光壁２８に付着した埃によって発光素子２５からの光が乱反射した場合に、この光が受光素子２６に入光することを防止できる。
【００１９】
このように、本実施形態に係る火災警報器１では、発光素子２５からの光が煙感知室２２の内部に侵入した埃によって乱反射する機会を低減し、誤感知を防止することができる。
【００２０】
尚、その他の煙感知部２を備えた火災警報器１の構成、機能については、従来公知の火災警報器と同様である。
【００２１】
〔別実施形態〕
上記の実施形態においては、遮光壁２７の上面の一部に傾斜面２７ｂを設けた例を説明したが、遮光壁２７の上面の全面に傾斜面を設けてもよく、縁部２７ａから下方に傾斜する傾斜面であれば、特に限定されない。
【産業上の利用可能性】
【００２２】
本発明に係る光電式煙感知器は、煙を感知する煙センサ、煙を感知して警報を発する警報器、煙の濃度を測定する測定器等に適用することができる。
【図面の簡単な説明】
【００２３】
【図１】本実施形態に係る煙感知部の平断面図
【図２】本実施形態に係る火災警報器の模式図
【符号の説明】
【００２４】
１      火災警報器
２      煙感知部
２１    ハウジング
２３    壁部
２５    発光素子（発光部）
２６    受光素子（受光部）
２７    遮光壁
２７ａ  縁部
２７ｂ  傾斜面
２８    第２の遮光壁
【図１】
0005038112.tif 000002
【図２】
0005038112.tif 000003